(57)【要約】【課題】送風効率の向上を図ると共に騒音発生の問題も解決する。【解決手段】熱交換器１２を備え室内天井裏に取り付けられる筐体ユニット１０と、ターボファン２３を備えた送風機ユニット２０と、送風機ユニット２０を筐体ユニット１０に対して下降／上昇させる昇降ユニット３０とを備える。昇降ユニット３０は、暖房運転あるいは冷房運転の際は送風機ユニット２０を筐体ユニット１０内の熱交換器１２の内側に収納させ、送風運転の際は送風機ユニット２０を筐体ユニット１０から下降させる。【選択図】図２
2015140971.tif 000002
【特許請求の範囲】
【請求項１】
熱交換器を備え室内天井に取り付けられる筐体ユニットと、送風機を備えた送風機ユニットと、該送風機ユニットを前記筐体ユニットに対して下降／上昇させる昇降ユニットとを備えた空気調和機の天井埋込型室内機であって、
前記昇降ユニットは、暖房運転あるいは冷房運転の際は前記送風機ユニットを前記筐体ユニット内の前記熱交換器の内側に収納させ、送風運転の際は前記送風機ユニットを前記熱交換器より下に下降させることを特徴とする空気調和機の天井埋込型室内機。
【請求項２】
請求項１に記載の空気調和機の天井埋込型室内機において、
前記筐体ユニットは、天井に取り付けられる筐体と、前記筐体の下面の周囲を覆うように前記筐体に取り付けられる化粧パネルとを有し、前記熱交換器は前記筐体の内側に配置され、
前記送風機ユニットは、支持台と、該支持台に取り付けられるファンモータと、該ファンモータで回転される送風ファンと、該送風ファンの下面に位置するように前記支持台に取り付けられるベルマウスと、該ベルマウスの下面に位置するように前記支持台に取り付けられる吸込グリルとを有する、
ことを特徴とする空気調和機の天井埋込型室内機。
【請求項３】
請求項１に記載の空気調和機の天井埋込型室内機において、
前記筐体ユニットは、天井に取り付けられる筐体を有し、前記熱交換器は前記筐体の内側に配置され、
前記送風機ユニットは、支持台と、前記ファンモータで回転される送風ファンと、該送風ファンの下面に位置するように前記支持台に取り付けられるベルマウスと、該ベルマウスの下面に位置するように前記支持台に取り付けられる吸込グリルと、該吸込グリルと一体化された化粧パネルとを有する、
ことを特徴とする空気調和機の天井埋込型室内機。
【請求項４】
請求項２又は３に記載の空気調和機の天井埋込型室内機において、
前記昇降ユニットは、前記筐体ユニットに対する前記送風機ユニットの前記支持台の上下移動をガイドするガイド棒と、前記筐体ユニットに対して前記送風機ユニットの前記支持台の上下移動を駆動する昇降駆動機構とを有することを特徴とする空気調和機の天井埋込型室内機。
【請求項５】
請求項４に記載の空気調和機の天井埋込型室内機において、
前記昇降ユニットの前記昇降駆動機構は、回転運動を直線運動に変換する直動機構からなることを特徴とする空気調和機の天井埋込型室内機。
【発明の詳細な説明】
【技術分野】
【０００１】
本発明は、空気調和機において送風運転時の送風効率を高めた天井埋込型室内機に関する。
【背景技術】
【０００２】
従来から、室内の天井に埋込設置された天井埋込型室内機で送風運転を行う際は、室外機の運転を停止し、その天井埋込型室内機の送風ファンのみを動作させて、例えば特許文献１に示されるように、下面中央の吸込口から空気を吸い込んでフィルタや内部の熱交換器を経由させてから下面周囲の吹出口から吹き出していた。
【先行技術文献】
【特許文献】
【０００３】
【特許文献１】特開平１０−３８３０５号公報
【発明の概要】
【発明が解決しようとする課題】
【０００４】
しかしながら、この方式では、吸い込んだ空気が天井埋込型室内機の内部を通過する際に熱交換器を通過するので、その熱交換器が送風の邪魔をし、送風効率が良くなかった。また、熱交換器通過時の風切音も発生し騒音発生の問題もあった。
【０００５】
本発明の目的は、上記した送風運転時の送風効率の向上を図ると共に騒音発生の問題も解決した空気調和機の天井埋込型室内機を提供することである。
【課題を解決するための手段】
【０００６】
上記目的を達成するために、請求項１にかかる発明の天井埋込型室内機は、熱交換器を備え室内天井に取り付けられる筐体ユニットと、送風機を備えた送風機ユニットと、該送風機ユニットを前記筐体ユニットに対して下降／上昇させる昇降ユニットとを備えた空気調和機の天井埋込型室内機であって、前記昇降ユニットは、暖房運転あるいは冷房運転の際は前記送風機ユニットを前記筐体ユニット内の前記熱交換器の内側に収納させ、送風運転の際は前記送風機ユニットを前記熱交換器より下に下降させることを特徴とする。
【０００７】
請求項２にかかる発明は、請求項１に記載の空気調和機の天井埋込型室内機において、前記筐体ユニットは、天井に取り付けられる筐体と、前記筐体の下面の周囲を覆うように前記筐体に取り付けられる化粧パネルとを有し、前記熱交換器は前記筐体の内側に配置され、前記送風機ユニットは、支持台と、該支持台に取り付けられるファンモータと、該ファンモータで回転される送風ファンと、該送風ファンの下面に位置するように前記支持台に取り付けられるベルマウスと、該ベルマウスの下面に位置するように前記支持台に取り付けられる吸込グリルとを有することを特徴とする。
【０００８】
請求項３にかかる発明は、請求項１に記載の空気調和機の天井埋込型室内機において、前記筐体ユニットは天井に取り付けられる筐体を有し、前記熱交換器は前記筐体の内側に配置され、前記送風機ユニットは、支持台と、前記ファンモータで回転される送風ファンと、該送風ファンの下面に位置するように前記支持台に取り付けられるベルマウスと、該ベルマウスの下面に位置するように前記支持台に取り付けられる吸込グリルと、該吸込グリルと一体化された化粧パネルとを有することを特徴とする。
【０００９】
請求項４にかかる発明は、請求項２又は３に記載の空気調和機の天井埋込型室内機において、前記昇降ユニットは、前記筐体ユニットに対する前記送風機ユニットの前記支持台の上下移動をガイドするガイド棒と、前記筐体ユニットに対して前記送風機ユニットの前記支持台の上下移動を駆動する昇降駆動機構とを有することを特徴とする。
【００１０】
請求項５にかかる発明は、請求項４に記載の空気調和機の天井埋込型室内機において、前記昇降ユニットの前記昇降駆動機構は、回転運動を直線運動に変換する直動機構からなることを特徴とする。
【発明の効果】
【００１１】
本発明によれば、送風運転の際は、送風機ユニットが熱交換器より下に下降するので、吸い込んだ空気を熱交換器の抵抗を受けることなく吹き出すことができ、送風効率の低下を防止することができる。また、同時に風切音による騒音も防止することができる。
【図面の簡単な説明】
【００１２】
【図１】本発明の実施例の天井埋込型室内機の停止および通常動作時の斜視図である。
【図２】同実施例の天井埋込型室内機の送風動作時の斜視図である。
【図３】同実施例の天井埋込型室内機の停止および通常動作時の中央縦断面の端面図である。
【図４】同実施例の天井埋込型室内機の送風動作時の中央縦断面の端面図である。
【図５】同実施例の天井埋込型室内機の分解斜視図である。
【図６】同実施例の天井埋込型室内機の昇降ユニットを一部含む送風機ユニット部分の分解斜視図である
【発明を実施するための形態】
【００１３】
図１〜図６に本発明の実施例の天井埋込型室内機１００を示す。この室内機１００は、筐体ユニット１０と、送風機ユニット２０と、送風機ユニット２０を昇降させる昇降ユニット３０とにより構成されている。
【００１４】
筐体ユニット１０は、天井裏に取り付けられる鈑金からなる筐体１１と、その筐体１１の内側に送風機ユニット２０を囲むように配置される熱交換器１２と、筐体１１の下面の周囲を覆うように筐体１１に取り付けられる化粧パネル１３とを有する。化粧パネル１３は、四角形の開口が中央に形成された枠形状であり、その枠の各辺には空気を吹き出す吹出口１３ａが形成されている。
【００１５】
送風機ユニット２０は、支持台２１と、その支持台２１のモータ取付部２１ａに取り付けられたファンモータ２２と、そのファンモータ２２のモータ軸２２ａが軸孔２３ａに取り付けられたターボファン２３と、そのターボファン２３の下方に位置し、中央に開口２４ａが形成され、前記支持台２１に取り付けられた整風用のベルマウス２４と、そのベルマウス２４の下面を閉じるように取り付けられ、前記支持台２１に取り付けられた吸込グリル２５とを有する。この吸込グリル２５には、中央に形成された多孔の吸込口にフィルタ２６が装着されている。
【００１６】
昇降ユニット３０は、筐体ユニット１０の筐体１１の内側の４隅の内の３隅において熱交換器１２の内側に取り付けられたガイド棒３１と、４隅の内の残りの１隅に設けられたボールねじ３２とで構成されている。そして、３本のガイド棒３１は、送風機ユニット２０の支持台２１の４角のうちの３角のガイド孔２１ｂに挿通される。１個のボールねじ３２は、その基部が筐体ユニット１０に設けられたモータ駆動機構（図示せず）により回転可能に支持され、ねじ部分は支持台２１の４角の内の１角のねじ穴２１ｃに螺合される。
【００１７】
さて、本実施例の天井埋込型室内機１００は、停止状態、冷房運転状態あるいは暖房運転状態にあるときは、図１、図３に示すように、昇降ユニット３０によって、筐体ユニット１０内に送風機ユニット２０が収納されている。このとき、吸込グリル２５は化粧パネル１３の中央の四角の開口内に位置する。そして、冷房運転状態あるいは暖房運転状態にあるときは、ファンモータ２２が駆動されてターボファン２３が回転することにより、吸込グリル２５からフィルタ２６を介して吸い込まれた空気が、ターボファン２３によって熱交換器１２に送られ、そこで冷媒と熱交換されてから、化粧パネル１３の吹出口１３ａより、室内に吹き出される。
【００１８】
送風運転を行うときは、昇降ユニット３０のボールねじ３２が一方向に回転駆動され、支持台２１を下方に移動させる。このとき、支持台２１はガイド棒３１にガイドされて下方向に移動するので、送風機ユニット２０の全体が下方向に下降して、図２、図４に示すように、送風ユニット２０が筐体ユニット１０の熱交換器１２よりも下に位置する状態になる。このときは、ファンモータ２２が駆動されてターボファン２３が回転することにより、吸込グリル２５から吸い込まれた空気がターボファン２３によって周囲方向に送られるので、その空気はターボファン２３から直接室内に吹出されることになる。
【００１９】
送風動運転を終了する操作をしたときは、ボールねじ３２が前記と逆方向に回転駆動され、支持台２１を上方向に移動させる。このとき、支持台２１はガイド棒３１にガイドされて上方向に移動するので、送風機ユニット２０の全体が上方向に上昇して、図１、図３に示すように、送風機ユニット２０が筐体ユニット１０の内部に収納された状態に復帰して停止する。
【００２０】
以上のように、本実施例の天井埋込型室内機１００は、送風運転時に、送風機ユニット２０が筐体ユニット１０から下方向に移動して熱交換器１２よりも下側に突出するので、吸い込んだ空気が熱交換器１２の抵抗を受けることなく周囲方向に吹き出されることになり、熱交換器１２の通風抵抗による送風効率の低下を防止することができる。また、同時に熱交換器１２で生じる風切音による騒音も防止することができる。
【００２１】
なお、上記実施例では、昇降ユニット３０のボールねじ３２はその下端側が支持台２１のねじ孔２１ｃに螺合するのみであり、またガイド棒３１の下端側は支持台２１のガイド孔２１ｂでガイドされるのみであり、そのボールねじ３２やガイド棒３１の下端は自由端となっている。しかし、送風機ユニット２０の支持台２１に搭載するファンモータ２２に重量のあるものを使用し、あるいは支持台２１に比較的重量のある材料を使用すれば、送風機ユニット２０全体が重量をもつため、昇降動作時に振動等が発生することを抑制することができる。
【００２２】
また、上記実施例では、ファンモータ２２を支持台２１に搭載したが、このファンモータ２２を支持台２１ではなく、筐体ユニット１０の筐体１１の内側中央に、出力軸が下向きとなるように取り付けることもできる。この場合は、そのファンモータ２２の出力軸を、送風機ユニット２０の昇降移動距離分をカバーできるだけの長さに設定するとともに、ターボファン２３に軸孔を設け、その軸孔にファンモータ２２の出力軸を挿通して軸方向スライド可能且つ相対回転不能にする。例えば、ファンモータ２２の出力軸を断面四角形状にしたときは、ターボファン２３の軸孔をその出力軸がスライド可能な四角孔にする。このとき、ターボファン２３は、その軸孔部分がベルマウス２４によって支持されるように、ベルマウス２４の中央部分に新たに軸受け部分（図示せず）を設けておく。以上により、ターボファン２３は、送風機ユニット２０が上昇しているときも、下降しているときも、ベルマウス２４により支持された状態で、筐体１１に取り付けたファンモータ２２の出力軸の回転によって回転される。
【００２３】
また、上記実施例では、ボールねじ３２を回転させることによって送風機ユニット２０の昇降動作を実現していたが、ラックとピニオンを使用した機構等の連動ギヤ機構、あるいはジャッキ機構等を利用してもよい。つまり、送風機ユニット２０の昇降動作は、回転運動を直線運動に変換する直動機構を採用すればよい。
【００２４】
また、上記実施例では化粧パネル１３を筐体ユニット１０に取り付けたが、送風機ユニット２０の吸込グリル２５に一体化することもできる。
【符号の説明】
【００２５】
１０：筐体ユニット、１１：筐体、１２：熱交換器、１３：化粧パネル，１３ａ：吹出口
２０：送風機ユニット、２１：支持台、２１ａ：モータ取付部、２１ｂ：ガイド孔、２１ｃ：ねじ穴、２２：ファンモータ、２２ａ：出力軸、２３：ターボファン、２３ａ：軸孔、２４：ベルマウス、２４ａ：開口、２５：吸込グリル、２６：フィルタ
３０：昇降ユニット、３１：ガイド棒、３２：ボールねじ
【図１】
2015140971.tif 000003
【図２】
2015140971.tif 000004
【図３】
2015140971.tif 000005
【図４】
2015140971.tif 000006
【図５】
2015140971.tif 000007
【図６】
2015140971.tif 000008